(57)【特許請求の範囲】
【請求項１】
支持具付嗜好性飲料バッグ１は濾過性を有するシートからなる嗜好性飲料抽出用バッグ２及び、抽出用バッグをカップ上に保持するための紙製支持具３からなり、抽出用バッグ２は紙製支持具３に取り付けられている支持具付バッグにおいて、
紙製支持具３は環状のシートが左右の折目４、４′で折り畳まれて２枚の長方形シート５、５′が重ね合わされた形状となり、シート５、５′の中間部分表裏にはそれぞれ垂直方向の折目７、７′及び８、８′が設けられ、シートの左右の折目４、４′の下部９、９′の部分は切断されて表裏が分離し、その切断部分の上端から表裏それぞれ２ケ所づつの切れ込み１０、１０′及び１１、１１′が設けられ、この切れ込みによってシート前部下端右側及び左側切片１２、１２′、後部下端右側及び左側切片１３、１３′が形成され、この４ケ所の切片の下端にはそれぞれ打抜部分１４、１４′及び１５、１５′が設けられ、この打抜部分によって表側及び裏側の中央部下端１６、１６′が形成され、打抜部分の突き当たりにはそれぞれ円形の空隙１７、１７′及び１８、１８′が設けられた構造を有し、
嗜好性飲料バッグ１の使用時、表裏のシート５、５′の間隔を拡げ抽出用バッグ２を開口させてカップ上に乗せる場合、紙製支持具３の中央部下端１６、１６′及び切れ込み１０、１０′、１１、１１′の下端に生成した２ケ所の先端はカップの内側に差し込まれた状態となり、また支持具の下部がカップの縁と接触する部分を４ケ所の打抜部分１４、１４′、１５、１５′に嵌め合わせて、打抜部分の突き当たりに設けられた円形の空隙の奥迄差し込んで固定することにより、嗜好性飲料バッグ１がカップ上で安定した状態で保持される上置式支持具付嗜好性飲料バッグ。
【請求項２】
シート５、５′の上部の縁を互いに接着し、この接着した部分の下縁に、ミシン目６を設けたことを特徴とする請求項１記載の上置式支持具付嗜好性飲料バッグ。
【請求項３】
嗜好性飲料抽出用バッグの上部の縁に複数のミシン目を設けたことを特徴とする請求項３記載の上置式支持具付嗜好性飲料バッグ。
【請求項４】
嗜好性飲料抽出用バッグが繊度  ０．２デニール以下の超極細繊維を含む不織布からなる請求項１〜３項のいずれかに記載した上置式支持具付嗜好性飲料バッグ。
【発明の詳細な説明】
【０００１】
【発明の属する技術分野】
本発明は支持具付嗜好性飲料バッグに関するもので更に詳しく述べると、コーヒーまたは紅茶等の嗜好性飲料をドリップ方式で抽出する場合、バッグの開口度を大きく且つ安定した状態でカップ上に保持するため、抽出効果を高め得ると共にカップの転倒または熱湯の溢れ等による火傷を防止するための、安全性に優れた支持具を有するディスポーザブル抽出用バッグである。
【０００２】
【従来の技術】
最近コーヒーをペーパーフィルターによるドリップ方式でいれて飲む習慣の普及につれて、抽出時フィルターをカップ上で安定に保持するための支持具も使用される様になった。この目的で開発された支持具も既に幾つか開示されている。
【０００３】
例えば、実公平  ５−１３３２４号公報には短冊状の厚紙を環状に接着し、重なり合う様に折り畳み、その中側に抽出用バッグを取り付け、その両側の縁の中程に切り込みを設けそれを内部に押し込んで、表裏の厚紙を押し開きバッグの口を開く方法が開示されている。
【０００４】
また、実公昭  ６０−７６２２号公報には、矩形の厚紙の中央に穴を開けて抽出用バッグを取り付け、カップの上で矩形の厚紙を半円状に曲げて両側の縁をカップに引っ掛けて使用するものである。
【０００５】
更に、実公昭  ５７−１０２７０  号公報に同一の大きさの矩形状の厚紙を２重に重ね、両側の縁を折り曲げて断面が矩形の筒をつくり、その部分にバッグを取り付け、その折り曲げた部分に折り返し片を設けて抽出時バッグの開口状態を保持させるものである。
【０００６】
これらの方式には、いずれもバッグの開口される度合いにバラツキが出やすいことと共に、抽出している間開口状態が一定に保持されない問題点があった。
【０００７】
【発明が解決しようとする課題】
これらの問題点にかんがみ本発明はディスポーザブルタイプのコーヒー、紅茶等嗜好性飲料の抽出用バッグにおいて、嗜好性飲料をドリップ方式で抽出する場合バッグに支持具を取り付けることによって、バッグの口を確実に大きく開かせることができて抽出効果を高めると共に、カップ上に安定した状態で保持できることにより、熱湯注入時の溢れカップの移動時等の転倒による火傷を防止するための安全性に優れた、支持具付バッグを開発して提供しようとするものである。
【０００８】
【課題を解決するための手段】
本発明者等はコーヒー、紅茶等のディスポーザブルタイプの抽出用バッグをドリップ方式で使用する場合、バッグの口を確実に且つ充分に開かせることが可能な支持具の材質と構造について研究した。その結果、やや厚めの細長い紙を環状に繋いで折り重ね、長方形のシートが重ね合わさった形状として、支持具の内部に抽出用バッグを取り付け、支持具の下部に設けられた４ケ所の切片の下端がカップの縁と接触する部分に打抜部分を設け、カップの縁を打抜部分に嵌め合わせその突き当たりに設けられた円形の空隙にカップの縁をはめ込んで固定することにより、バッグをカップ上で安定した状態で保持できる構造を見出した。更に抽出効果を高めるためのバッグの材質・形状等についても検討した結果本発明に到達した。
【０００９】
すなわち、支持具付嗜好性飲料バッグ１は濾過性を有するシートからなる嗜好性飲料抽出用バッグ２及び、抽出用バッグをカップ上に保持するための紙製支持具３からなり、抽出用バッグ２は紙製支持具３に取り付けられている支持具付バッグにおいて、
【００１０】
紙製支持具３は環状のシートが左右の折目４、４′で折り畳まれて２枚の長方形シート５、５′が重ね合わされた形状となり、シート５、５′の中間部分にはそれぞれ垂直方向の折目７、７′及び８、８′が設けられ、シートの左右の折目４、４′の下部９、９′の部分は切断されて表裏が分離し、その切断部分の上端から表裏それぞれ２ケ所づつの切れ込み１０、１０′及び１１、１１′が設けられ、この切れ込みによってシート前部下端右側及び左側切片１２、１２′、後部下端右側及び左側切片１３、１３′が形成され、この４ケ所の切片の下端にはそれぞれ打抜部分１４、１４′及び１５、１５′が設けられ、この打抜部分によって表側及び裏側の中央部下端１６、１６′が形成され、打抜部分の突き当たりにはそれぞれ円形の空隙１７、１７′及び１８、１８′が設けられた構造を有し、
【００１１】
嗜好性飲料バッグ１の使用時、表裏のシート５、５′の間隔を拡げ抽出用バッグ２を開口させてカップ上に乗せる場合、紙製支持具３の中央部下端１６、１６′及び切れ込み１０、１０′、１１、１１′の下端に生成した２ケ所の先端はカップの内側に差し込まれた状態となり、また支持具の下部がカップの縁と接触する部分を４ケ所の打抜部分１４、１４′、１５、１５′に嵌め合わせて、打抜部分の突き当たりに設けられた円形の空隙の奥迄差し込んで固定することにより、嗜好性飲料バッグ１がカップ上で安定した状態で保持される上置式支持具付嗜好性飲料バッグである。
【００１２】
更に、前述の嗜好性飲料バッグのシート５、５′の上部の縁を互いに接着し、この接着した部分の下縁に、１本または複数本のミシン目を設けた支持具付嗜好性飲料バッグ及び、抽出用バッグが繊度  ０．２デニール以下の超極細繊維を含む不織布でつくられた支持具付嗜好性飲料バッグも本発明に含まれている。
【００１３】
ここで、「左右の折目４、４′」の様に同じ番号に′を付けたものは、それぞれ左右対称の位置或いは表側、裏側の対称の位置にある同一の構造部分を示している。以下本発明について詳しく説明する。
【００１４】
本発明の支持具付嗜好性飲料バッグは濾過性を有する材質であれば特に限定せず、広範囲のシートが使用可能であるが、繊度  ０．２デニール以下の超極細繊維を含む不織布は、抽出性が優れているため好ましい。例えば、コーヒーの苦すぎる原因となり易い抽出残渣や油脂の除去性に優れている。
【００１５】
抽出用バッグの形状は特に限定しないが、開口面積を大きくするためバッグの側面にギャザーを設けた形状が好ましく、更にバッグの下部の断面はＶ字形になっていると液切れが良好となるため好ましい。またはバッグの下端が逆円錐状となっていてもよい。本発明のバッグには内容物を封入せずオープンの状態で、使用時適宜コーヒー粒子等内容物を入れてお湯を注入するものの他、予めコーヒー粒子等がバッグに封入されていて、使用時ミシン目等を引き裂いてバッグの口を開け、お湯を注入して使用するバッグも含まれている。
【００１６】
【発明の実施の形態】
本発明の支持具付嗜好性飲料バッグに適用できる嗜好性飲料は特に限定しないが、コーヒー、アイスコーヒー、紅茶、ココア、ウーロン茶その他の健康茶、煎茶、麦茶、昆布茶等広範囲な飲料が含まれている。これらの中、コーヒーは本発明の上置式支持具付抽出用バッグに最も適している。また、カップも通常のコーヒー或いは紅茶用カップの他、デミタス型、ガラスコップ、朝顔型カップ等種々のタイプのカップに適用できる。
【００１７】
本発明の支持具付嗜好性飲料バッグの支持具は、紙製の環状シートが左右の折目で折り曲げられて２枚の長方形シート５、５′が重ね合わされた形状となっている。嗜好性飲料バッグの使用時、紙製支持具の下部に設けられた４ケ所の切片の下端がカップの縁と接触する部分に打抜部分を設け、カップの縁を切抜部分に嵌め合わせて、打抜部分の突き当たりに設けられた円形の空隙にカップの縁を嵌め込んで固定することにより、バッグをカップ上で安定した状態に保持できる構造に特徴がある。
【００１８】
ここで、図１に示す打抜部分の形状は、種々な形状を有するカップの縁に適応する様にするために特に工夫された形状を有し、カップの縁に嵌め込んでバッグを安定な状態に保持するために重要な役割を果している。この様な形状の打抜部分よって、支持具付バッグのカップ上でおける安定性が著しく高められる構造となっている。このため、例えば実公平  ５−１３３２４号に記載された支持具シート両端の中間部に斜めの傾斜を有する切断線を入れ、その部分の切片を折り返して前後のシートの間隔を開きバッグの開口度を高める様な、その他の安定性を高める手段を付加する必要がない。
【００１９】
紙製支持具が保持するカップの直径は必ずしも一定せずかなりの変動があるが、その変動は紙製支持具の表側及び裏側シートの相互の膨らみを調節することにより、支持具がそれにマッチできる構造となっている。このため支持具の材質は適度な弾性と可塑性を有するものである必要がある。
【００２０】
本発明の支持具の材質は紙製である必要がある。前述の様な適度な弾性と可塑性を併せ有するシート状材質としては、紙が最も適しているからである。また、紙の種類については特に限定しないがやや厚めの紙が好ましく、ポリマー樹脂によりラミネートした薄目の板紙が好ましく、その他防水処理をした上質紙或いは厚紙等も使用できる。
【００２１】
前述の様に本発明の抽出用バッグは濾過性を有するシートであれば広く使用できるが、繊度０．２  デニール以下の超極細繊維を含む不織布は、抽出性が優れているためより好ましい。例えば、香りやコク味が優れたコーヒーを入れるためにフィルターに要求される最も重要な性質は、コーヒーの微粒子が液中に漏れ出さないこと及びコーヒー液中に含まれている油脂を吸着除去して、カップの表面に油膜が浮かない様にすることである。これらはいずれもコーヒーの味を阻害する要素で、微粒子が混入すれば舌触りが悪く感じられ、またカップの表面に油脂が浮くとギラギラ光るため好まれないからである。
【００２２】
微粒子の漏出防止及び油脂の吸着性を高める素材として、繊度が  ０．２デニール以下の超極細繊維を含む不織布が特に優れている。従って、この様な超極細繊維を含む不織布が本発明のバッグの素材にはより好ましい。この様な超極細繊維は例えば、メルトブロー法により熱可塑性ポリマーから製造され、熱可塑性ポリマーの種類としては、ポリプロピレン、ポリエチレン等が使用されている。またこの様な超極細繊維の不織布層と、通常の太さの繊維からなる支持層の複合不織布を使用することにより、濾過性と共に濾布の機械的性質を向上させることが出来る。
【００２３】
抽出用バッグを支持具に取り付ける手段は特に限定しないが、融着或いは貼着等が適用できる。バッグが熱溶融性で支持具もポリマー樹脂でラミネートされている紙の場合は熱融着が好ましい。
【００２４】
【実施例】
以下実施例を挙げ図面を参照しながら更に本発明を具体的に説明する。
【００２５】
（実施例１）
図１には本発明の上置式支持具付嗜好性飲料バッグの一態様で、使用前の折り畳まれた状態の正面図を、図２にはバッグの使用時コーヒーカップの上に乗せた状態の斜視図を示す。
【００２６】
支持具付嗜好性飲料バッグは支持具３及び抽出用バッグ２からなり、バッグの材質は、直径  ０．１デニールのポリエチレン・メルトブロー繊維で作られた目付１０ｇ／ｍ２  、厚さ約  ０．１２  ｍｍの不織布と、繊度  １．５デニール、短繊維の長さ  ５０ｍｍ  のポリエステル繊維で作られた目付け１０ｇ／ｍ２  、厚さ０．０８ｍｍの不織布との２層の積層体よりなっている。またバッグの表面には多数の微小な平行四辺形の繊維融着域が、所定間隔をおいて整然と配置されている。この不織布積層体では、極細繊維不織布は濾過層として機能し、太デニール繊維不織布は濾過層の支持体となっている。
【００２７】
紙製支持具の材質はポリエチレンでラミネートされた白板紙でつくられ、その内側に抽出用バッグ２が融着されている。紙製の支持具の本体は長方形のシートの両端が接着された環状のシートで、その左右が折目４、４′で折り畳まれて、２枚の長方形のシート５、５′が表裏に重ね合わされた形状になっている。
【００２８】
抽出用バッグ２の上端はシールされず開放され、シート５、５′の中間部分には表裏にそれぞれ垂直方向の折目７、７′及び８、８′が設けられて、使用時容易にバッグの口が大きく開けられる様になっている。
【００２９】
シートの左右の折目４、４′の下部９、９′の部分は切断されて表裏が分離した状態になっている。その切断部分の上端から表裏のシートの内側に向かって図１に示す様にそれぞれ２ケ所づつの切れ込み１０、１０′及び１１、１１′が設けられ、この切れ込みによってシート前部下端右側及び左側切片１２、１２′、後部下端右側及び左側切片１３、１３′が形成されている。
【００３０】
この４ケ所の切片の下端にはそれぞれ打抜部分１４、１４′及び１５、１５′が設けられ、この打抜部分によって表側及び裏側のシート中央部下端１６、１６′が形成され、また、打抜部分の突き当たりにはそれぞれ円形の空隙１７、１７′及び１８、１８′が設けられた構造となっている。
【００３１】
図２はバッグ１の使用時の斜視図を示したもので、表裏のシート５、５′の間隔を拡げて抽出用バッグ２を開口させてコーヒーカップの上に乗せた状態を示している。支持具付バッグをコーヒーカップの上部に乗せ、シート５、５′の左右の折目４、４′の部分を指で押さえるとシート５、５′が外側へ膨らんで弧状となり、シートの４ケ所の切れ込み１０、１０′、１１、１１′が開いて前部及び後部の左右両側の切片１２、１２′、１３、１３′が支持具本体から張り出した状態になる。
【００３２】
シート５、５′の膨らみを調節して支持具の下部がカップの縁と接触する部分を、切片の下部に設けられた４ケ所の打抜部分１４、１４′、１５、１５′に嵌め合わせて、打抜部分の突き当たりに設けられた円形の空隙の奥迄差し込んでバッグをカップに固定する。この際、支持具３の中央部下端１６、１６′及び切れ込み１０、１０′、１１、１１′の下端に生成した２ケ所の先端はカップの内側に差し込まれた状態となるため、支持具付バッグは一層安定した状態でカップ上に保持れれる。
【００３３】
図に示した様な打抜部分の突き当たりに円形の空隙を設けた形状は、殆どのコーヒー、紅茶カップその他種々な形状の茶碗の縁に密着することができる様に工夫された結果見出されたものである。この様な保持方法によりお湯の注入時の溢れ、カップの移動時の転倒等による火傷等の怪我を防止することができ安全性が大幅に高められる。
【００３４】
本発明の支持具付バッグは使用時前述の様にしてカップの上に乗せると、バッグの上部は大きく開口された状態となるため、バックには適宜コーヒー粉末、紅茶等種々の嗜好性飲料の原料を入れ、お湯を注入して使用することができる。本発明の支持具付バッグは特にコーヒーの抽出に適しており、その際抽出原料として細挽したコーヒー粉末が好ましい。
【００３５】
（実施例２）
図３には本発明の上置式支持具付嗜好性飲料バッグの他の一態様の使用前の折り畳まれた状態の正面図を示す。
【００３６】
支持具付嗜好性飲料バッグは支持具３及び抽出用バッグ２からなり、バッグの材質は繊度  ０．０５  デニールのポリプロピレン・メルトブロー繊維で作られた目付２０  ｇ／ｍ２  、厚さ約  ０．２３  ｍｍの不織布である。またバッグの表面には形態安定性を高めるため直線の幅１ｍｍ、間隔５ｍｍの直線からなる斜格子模様の繊維融着域が形成されている。紙製支持具の材質はポリエチレンでラミネートされた上質紙でつくられ、その内側に抽出用バッグ２が融着されている。
【００３７】
抽出用バッグ及び紙製支持具の基本的な構造は実施例１に示したものとほぼ同じであるが、本態様ではシート５、５′の上部の縁を互いに接着し、この接着した部分の下縁に、ミシン目６が設けられている。抽出用バッグには予め細挽したコーヒー粉末が封入され、上端がシールされている。
【００３８】
抽出用バッグの使用時ミシン目を引き裂くと支持具と共に抽出用バッグもその部分で引き裂かれる様になっている。使用方法も実施例１のバッグとほぼ同じでシート左右の折目を押さえて５、５′の間隔を拡げ、抽出用バッグ２を開口させてコーヒーカップの上に乗せる。カップの縁をシート下端の切片の下部に設けられた４ケ所の打抜部分に嵌め合わせて、更に、打抜部分の突き当たりに設けられた円形の空隙の奥迄差し込んでバッグをカップに固定する。
【００３９】
本発明の支持具付バッグはこの様な支持具の構造によって、カップ上に保持された支持具の安定性が著しく高められているため、例えば、実公平  ５−１３３２４号に記載された支持具シート両端の中間部に斜めの傾斜を有する切断線を入れ、その部分の切片を折り返して前後のシートの間隔を開きバッグの開口度を高める様なその他の手段を更に付加する必要がない。
【００４０】
尚、嗜好性飲料抽出用バッグの上部の縁に設けるミシン目は１本に限定せず、複数本設けてもよい。支持具付抽出用バッグの作成時抽出用バッグと紙製支持具を接着する場合両者のミシン目が多少ずれていても対応でき、両方のミシン目を確実に一度で開封することができる。
【００４１】
【発明の効果】
本発明の上置式支持具付嗜好性飲料バッグは、ディスポーザブルでドリップタイプのコーヒー、紅茶等の抽出用バッグに紙製の支持具を取り付けたもので、バッグにお湯を注入する時支持具の下部に複数個の打抜部分を設け、カップの縁を打抜部分の奥の円形の空隙に嵌め込んで固定することにより、抽出効果と共に熱湯注入時の溢れ、カップの移動時等の転倒による火傷等の怪我を防止する安全性が大幅に高められている。
【図面の簡単な説明】
【図１】本発明の上置式支持具付嗜好性飲料バッグの一態様で、使用前の折り畳まれた状態の正面図を示す。
【図２】図１に示した上置式支持具付嗜好性飲料バッグの使用時コーヒーカップの上に乗せた状態の斜視図を示す。
【図３】本発明の上置式支持具付嗜好性飲料バッグの他の一態様で、使用前の折り畳まれた状態の正面図を示す。
【符号の説明】
１  上置式支持具付嗜好性飲料バッグ
２  抽出用バッグ
３  紙製支持具
４、４′紙製支持具の左右の折目
５、５′紙製支持具の表裏のシート
６  ミシン目
７、７′紙製支持具の表側シート中間の折り目
８、８′紙製支持具の裏側シート中間の折り目
９、９′紙製支持具の両側折目下部の切断ケ所
１０、１０′紙製支持具の表側シート左右の切込
１１、１１′紙製支持具の裏側シート左右の切込
１２、１２′紙製支持具の表側シート下端左右の切片
１３、１３′紙製支持具の裏側シート下端左右の切片
１４、１４′紙製支持具の表側シート下端左右の切片下端の打抜部分
１５、１５′紙製支持具の裏側シート下端左右の切片下端の打抜部分
１６、１６′紙製支持具の表裏の中央部下端
１７、１７′紙製支持具の表側シート左右の打抜部分の突き当たりの円形の空隙
１８、１８′紙製支持具の裏側シート左右の打抜部分の突き当たりの円形の空隙
【図１】
0003549986.tif 000002
【図２】
0003549986.tif 000003
【図３】
0003549986.tif 000004